(57)【特許請求の範囲】
【請求項１】
道路標識柱がはまる内部空間をもち、両端が開放されたほぼ中空筒形の形態をもつ本体部材と、該本体部材で道路標識柱にはまり且つ道路標識柱に沿って回転しながら伸縮自在な第一の清掃部材と、該第一の清掃部材を道路標識柱に対して回転しながら伸縮する操作部材とを備え、前記本体部材が、前記道路標識柱の上部から内部空間に洗浄液を供給する開口を設けた端板を含み、前記開口から洗浄液を供給した状態で第一の清掃部材を道路標識柱に沿って回転しながら伸縮させることにより道路標識柱全外周を清掃するように構成したことを特徴とする道路標識柱の洗浄装置。
【請求項２】
前記第一の清掃部材が、道路標識柱にはまる中心孔を形成し、毛先を道路標識柱に向けたブラシから成ることを特徴とする請求項１記載の洗浄装置。
【請求項３】
前記第一の清掃部材が、ブラシをコイル状に配置していることを特徴とする請求項２記載の洗浄装置。
【請求項４】
前記本体部材の下端周囲全体にわたって配置されたブラシから成る第二の清掃部部材を設けることを特徴とする請求項１又は２又は３記載の洗浄装置。
【発明の詳細な説明】
【０００１】
【発明の属する技術分野】
この発明は、道路標識柱の洗浄装置にかかわり、さらに詳しくは、可倒式視線誘導道路標識柱の汚れを落すのに好適な道路標識柱の洗浄装置に関している。
【０００２】
【従来の技術】
可倒式視線誘導道路標識柱は道路標識柱の柔軟性がたかく、車両が接触したときに曲がり、運転者などの安全性が確保されることから、高速道路から一般道路にわたって広く利用されており、今後もその需要は拡大の一途にある。
【０００３】
【発明が解決しようとする課題】
このような可倒式視線誘導道路標識柱も、設置環境によっては塵埃の付着による汚れがはやいため、視認性を維持するために汚れの除去をたえず必要とする。道路標識柱の洗浄は、従来、自走式の専用洗浄機によっておこなわれているが、洗浄機自体が剛性ある道路標識柱にたいして開発されたものであるため、回転ブラシを道路標識柱に押し付けると、道路標識柱が簡単に曲がりブラシから逃げ、うまく清掃をおこなえない。このため、多くの場合、人が手で汚れを拭き取っているが、かなりの労力と時間とを清掃に要している。
【０００４】
本発明は、可倒式視線誘導道路標識柱であっても、清掃を簡単にかつ迅速におこなえる、道路標識柱のための洗浄装置を提供することにある。
【０００５】
【課題を解決するための手段】
本発明の道路標識柱の洗浄装置は、道路標識柱にはまりかつ道路標識柱にそって伸縮可能な清掃部材と、清掃部材の伸縮方向の一端を保持する本体部材と、清掃部材の他端を保持し、清掃部材に前記伸縮をおこなわせる本体部材上にて移動可能な部材とからなっている。
【０００６】
道路標識柱の洗浄は、この装置を道路標識柱にはめ、洗浄液を本体部材の内部に供給しながら、操作部材を往復移動させることによってなされる。移動させると、清掃部材が道路標識柱の表面を擦り、道路標識柱に付着した汚れをかき落すとともに、洗浄液による道路標識柱からの汚れの脱離を促進し、道路標識柱が清掃される。このときに、清掃部材が道路標識柱のまわりに配置されかつこれにそって伸縮して、曲げが道路標識柱に加わらないため、フレキシブルな可倒式視線誘導道路標識柱であっても、道路標識柱が清掃中に曲がらず、しかも、操作部材を動かすだけで清掃をおこなえるため、作業をすくない労力でもって迅速におこなえる。
【０００７】
これにおいて、清掃部材が毛先を道路標識柱に向けて道路標識柱にはまる中心孔をもつコイルの形態に形成されたブラシからなっていてもよく、そうすることによって、操作部材を動かしたときに、ブラシが道路標識柱のまわりを回転しつつ伸縮し、道路標識柱を曲げないばかりか、毛先が道路標識装置の汚れに繰返してあたるため、汚れの除去をより確実におこなえる。
【０００８】
また、本発明の道路標識柱の洗浄装置は、道路標識柱の台座よりも小さな外径をもち、ポールがはまる内部空間をもつ、両端を開放されたほぼ中空筒形の形態をもつ本体部材と、ポールと本体部材との間に位置して昇降可能に本体部材にはめられかつ本体部材からの抜け出しを止められた操作部材と、ポールのはまる孔を形成してコイル状に形成され、毛先をポールに向けて道路標識柱にはめられて本体部材と操作部材とによって本体部材内部に形成される下部空間に配置されていると共に、一端を操作部材に結合されたブラシからなる第一の清掃部材と、本体部材の下端に取り付けられたブラシからなる第二の清掃部材とからなっている。
【０００９】
道路標識柱の洗浄は、この装置を道路標識柱にはめ、洗浄液を本体部材の内部に供給しながら、操作部材を昇降させると共に、装置全体をポールを中心に回転させることによってなされる。操作部材を昇降させると、第一の清掃部材がポールのまわりを回転しつつ伸縮して、曲げをポールに加えないため、道路標識柱が清掃中に曲がらないばかりか、毛先がポールの汚れに繰返してあたり、道路標識柱に付着した汚れをかき落すと共に、洗浄液による道路標識柱からの汚れの脱離を促進するため、汚れの除去も確実になされる。装置全体が回転されると、第二の清掃部材が台座を擦り、付着した汚れをかき落すと共に、洗浄液による道路標識柱からの汚れの脱離を促進して、台座の洗浄がなされる。道路標識柱全体の洗浄がこのように操作部材の昇降および装置の回転によっておこなえるばかりか、台座の洗浄を本体部材の下端にあるブラシによってなさせ、ポールの洗浄をおこなう機構の長さを短くさせて、装置全体の軽量化を図っているため、作業をすくない労力でもって迅速におこなえる。
【００１０】
これにおいて、本体部材が間隔をおいて配置されたリング状の薄板からなる端板と端板のまわりに間隔をおいて配置されかつ端板に両端を結合されたワイヤあるいはロッドからなるコラムとコラムのまわりに配置されたカバーとからなると共に、操作部材が本体部材の内部に配置されかつ本体部材における一方の端板の開口よりも大きな外径をもち本体部材の内側に配置されたリング状の薄板からなる端板とこの端板に結合され本体部材における一方の端板の開口から外側にむかってのびるワイヤあるいはロッドからなる引き手とからなっていると、装置が大幅に軽量化されるため、道路標識柱までの装置の搬送、道路標識柱にたいする装置の装着などをより容易にかつより迅速におこなえる。
【００１１】
【発明の実施の形態】
図１ないし図６は本発明の道路標識柱の洗浄装置の一実施例を示している。
【００１２】
この洗浄装置は可倒式視線誘導道路標識柱にたいするものである。道路標識柱１０は、たとえば図４に示すように、熱可塑性エラストマーからなる中空のポール１１とポール１１と一体に形成された台座１２とからなっている。ポール１１には反射再帰シート１３が一定間隔をおいて巻き付けられている。
【００１３】
本発明による洗浄装置は、このような道路標識柱１０におけるポール１１の汚れを清掃するためのもので、図１および図２に示すように、両端を開放されたほぼ筒形の形態をもち、道路標識柱のポール１１の高さよりも大きな長さを与えられている本体部材２０と、ポール１１の長手方向に移動可能に本体部材２０にはめられかつこれからの抜け出しを止められている操作部材３０と、一端を操作部材３０に保持されてポール１１と本体部材２０とによって形成される空間における本体部材２０の一端と操作部材３０のそれとの間に配置された伸縮可能な清掃部材４０と、本体部材２０の下端にある第二の清掃部材５０とを具備している。
【００１４】
本体部材２０はリングの形態をもつ端板２１，２２、複数の柱２３およびカバー２４によって形成されている。端板２１，２２は、道路標識柱におけるポール１１の外径よりも大きな内径をもつステンレススチールの薄板からなるもので、ポール１１の高さよりも大きな間隔をおいて配置されている。柱２３は、ステンレススチールのワイヤあるいはロッドからなっており、端板２１，２２の間に配置され、両端を端板２１，２２の外周縁に溶接結合されている。柱２３はたとえば四本あり、各々の柱２３は端板２１，２２の中心のまわりに等間隔角度でもって配置されている。カバー２４は、透明な合成樹脂シートからなり、柱２３の外側に巻き付けられかつ柱２３に固定され、あるいは、予め両端を開放された中空筒の形態に形成され、柱２３の外側にはめ込まれている。さらに、端板２１の周縁には角度１８０゜離れて取っ手２５が取り付けられている。取っ手２５は、ワイヤあるいはロッドをコ字形に曲げ加工したものからなっていて、端板２１と平行に配置されているとともに、端板２１の上に位置する開放端を形成する端部が端板２１に溶接結合されている。
【００１５】
操作部材３０は端板３１および引き手３２からなっている。端板３１は、本体部材２０の端板３１の開口よりも大きくかつ柱２３が形成する仮想円よりも小さな外径とポール１１の外径よりも大きな開口とをもつ、リングの形態をなすステンレススチールの薄板からなっていて、本体部材２０の端板２１の内側に配置されている。引き手３２は、ステンレススチールのワイヤあるいはロッドをほぼ逆Ｕ字形に曲げ加工された二つの部材を角度９０゜交差させて配置しかつ溶接結合し、下端を端板３１に溶接結合したものからなっている。引き手３２における端板３１に結合された下端の仮想円の直径は本体部材２０の端板３１にある開口のそれよりも僅かに小さく、上端の直径は下端より小さい。操作部材３０は、端板３１を本体部材２０の端板２１の下部に位置させ、引き手３２の上端を本体部材２０の端板２１にある開口を貫通させて本体部材２０に組み込まれている。
【００１６】
清掃部材４０は、ほぼコイルの形態をもつブラシからなっていて、保持具４１および毛４２とからなっている。保持具４１は、図３に示すように、ステンレススチールの薄板などの幅細い板状の部材からなっていて、本体部材２０の柱２３が形成する仮想円よりも小さな外径をもつ、巻数がたとえば５からなるコイルの形態に形成されている。毛４２は、ポール１１および再帰反射シート１３よりも硬度の低い合成樹脂からなり、図３に示すように、一端を保持具４１の内周面に植毛されている。毛４２の自由端が形成する中心孔４３の直径はポール１１の外径よりも僅かに小さい。この清掃部材は、本体部材２０における端板２２と操作部材３０の端板３１との間に位置して本体部材２０の内部に配置され、上端を操作部材３０の端板３１に、下端を本体部材２０の端板２１に結合されている。端板３１との結合は、ワイヤ４４を端板２１にある孔および保持具４１に通すとともに、これらをワイヤ４４によって結束することでなされている。図示されていないが、清掃部材４０と端板２１との結合も同じようにしてなされている。もうひとつの清掃部材５０はリングの形態をもつブラシからなっている。毛５１は、合成樹脂からなり、一端を合成樹脂のワイヤ５２によって結束されている。このブラシ５０は、図２に示すように、本体部材１０の端板２２の周りにはめられていると共に、端板２２に固定されている。
【００１７】
道路標識柱１０にたいする装着は、図４に示すように、作業者が操作部材３０を押し込んだ状態において取っ手２５を両手でつかみ、本体部材２０の下端にある端板２１の開口をポール１１の頂部に一致させ、装置をポール１１に押し込むことによってなされる。
【００１８】
装置が道路標識柱１０にはめ込まれると、図５に示すように、ポール１１は本体部材２０の端板２２の開口およびブラシ４０の中心孔４３をとおって装置内部にはまり、ポール全体が装置内部に収容され、清掃部材５０の毛先が道路標識柱の台座１２に接触する。
【００１９】
ポール１１の洗浄は、洗浄液を本体部材２０の端板２１のある開口から本体部材２０の内部に供給しつつ、操作部材３０を手によって昇降させ、汚れの度合に応じて昇降をさらに繰り返すことによっておこなわれる。操作部材３０が上昇すると、図６に示すように、ブラシ４０がポール１１の周面をまわりながら操作部材３０と一緒に伸び、下降すると、ブラシ４０がポール１１の周面をまわりながら操作部材３０と一緒にちじみ、これらのブラシ４０の伸縮と同時に、汚れた洗浄液が本体部材２０の下端から排出され、あらたな洗浄液がつぎつぎとポール表面に供給される。ブラシ４０は回転しかつ伸縮するときに、毛４２の先端がポール１１の表面をつぎつぎに擦って、ポール１１の表面に付着する汚れをかき落すとともに、洗浄液によるポール１１からの汚れの脱離を促進して、ポール１１の表面に付着する汚れを完全に除去させる。
【００２０】
道路標識柱の台座１２の洗浄は、作業者が取っ手２５を両手でもち、装置全体をポール１１を中心にして回転させる。装置が回転すると、清掃部材５０における毛５１の先端が台座１２の表面を擦って、台座１２の表面に付着する汚れをかき落すとともに、洗浄液による台座１２からの汚れの脱離を促進して、台座１２の表面に付着する汚れが完全に除去される。
【００２１】
洗浄がこのようにしておわったら、作業者が取っ手２５を両手でもち、装置全体をポール１１から引き抜くことによって、装置が道路標識柱１０から分離される。
【００２２】
本発明による洗浄装置は、このように、装置をポール１１にはめ、引き手３２を引っ張り上げることによって、ポール全面の清掃を確実におこなえ、装置全体を回転させることによって、台座１２の洗浄もおこなえるため、手によって道路標識柱を拭いたときと比べて、洗浄をはるかにすくない労力でもって、しかも、はるかに短い時間でもっておこなえるばかりか、本体部材２０が薄板からなる端板１１，１２とワイヤあるいはロッドからなる柱２３および取っ手２５との溶接組立物からなり、操作部材３０が薄板からなる端板３１とワイヤあるいはロッドからなる引き手３２との溶接組立物からなっていて、装置全体が軽量化されているため、道路標識柱１０までの装置の搬送、道路標識柱１０にたいする装置の装着、道路標識柱１０からの装置の引抜きなどの道路標識柱の洗浄に伴う付帯作業も簡単にかつ迅速におこなえる。
【００２３】
【発明の効果】
本発明の道路標識柱の洗浄装置は、以上述べたように、操作部材を移動させるだけで、道路標識柱の清掃がおこなわれるため、人が直接道路標識柱を拭くときに比べて、清掃を簡単かつ容易におこなえるとともに、構造がきわめて簡単であるため、低コストでもって製造することができる。
【図面の簡単な説明】
【図１】本発明の道路標識柱の洗浄装置の一実施例を示す平面図である。
【図２】正面図である。
【図３】図２のＡ−Ａ線にそう拡大断面図である。
【図４】道路標識柱に装着しようとする状態を示す説明図である。
【図５】道路標識柱に装着した状態を示す説明図である。
【図６】道路標識柱の清掃状態を示す説明図である。
【符号の説明】
１０      …道路標識柱
２０      …本体部材
３０      …操作部材
４０，５０…清掃部材
【図１】
0003653679.tif 000002
【図２】
0003653679.tif 000003
【図３】
0003653679.tif 000004
【図４】
0003653679.tif 000005
【図５】
0003653679.tif 000006
【図６】
0003653679.tif 000007